(57)【特許請求の範囲】
【請求項１】
スタック用ラジエータと、前記スタック用ラジエータの前方に配置される電装用ラジエータと、前記電装用ラジエータと車両の幅方向を基準に並列配置されるコンデンサと、前記スタック用ラジエータの後方で前記電装用ラジエータと前記コンデンサにそれぞれ対応する位置に備えられる第１、第２クーリングファンとを含むクーリングモジュールで車両の走行状態およびエアコンの稼働有無により前記第１、第２クーリングファンの作動速度を制御するためのものであって、
車両の始動をオンさせて走行する段階と、
スタック温度を感知し、前記スタック用ラジエータが要求する前記第１クーリングファンの第１要求速度（Ａ）と前記第２クーリングファンの第１要求速度（Ｂ）を設定する段階と、
電装品の温度を感知し、前記電装用ラジエータが要求する前記第１クーリングファンの第２要求速度（Ｃ）を設定する段階と、
エアコンの作動有無を判断する段階と、
エアコンが作動していると判断されると、エアコン圧力を感知し、前記コンデンサが要求する前記第２クーリングファンの第２要求速度（Ｄ）を設定する段階と、
前記第１クーリングファンの第１要求速度（Ａ）が前記第１クーリングファンの第２要求速度（Ｃ）より大きいかまたは同一であり、前記第２クーリングファンの第１要求速度（Ｂ）が前記第２クーリングファンの第２要求速度（Ｄ）より大きいかまたは同一であるかを判断する段階（Ｓ６）と、
前記段階（Ｓ６）で条件を満足すると、前記第１クーリングファンは前記第１クーリングファンの第１要求速度（Ａ）で作動させ、前記第２クーリングファンは前記第２クーリングファンの第１要求速度（Ｂ）で作動させる段階と、
スタックおよび電装品の冷却水温とエアコン圧力が予め設定された設定値内にあるかを判断する段階と、
前記スタックおよび電装品の冷却水温とエアコン圧力が予め設定された設定値内にあると判断されると、制御を終了する段階と、
を含むことを特徴とする車両用クーリングファン制御方法。
【請求項２】
前記エアコンの作動有無を判断する段階で、前記エアコンが作動していないと判断されると、次の段階で、前記第１クーリングファンの第１要求速度（Ａ）が前記第１クーリングファンの第２要求速度（Ｃ）より大きいかまたは同一であるかを判断することを特徴とする請求項１に記載の車両用クーリングファン制御方法。
【請求項３】
前記第１クーリングファンの第１要求速度（Ａ）が前記第１クーリングファンの第２要求速度（Ｃ）より大きいかまたは同一であるかを判断する段階で、条件を満足すると、次の段階で、前記第１クーリングファンは前記第１クーリングファンの第１要求速度（Ａ）で作動させ、前記第２クーリングファンは前記第２クーリングファンの第１要求速度（Ｂ）で作動させ、前記スタックおよび電装品の冷却水温とエアコン圧力が予め設定された設定値内にあるかを判断する段階にリターンさせることを特徴とする請求項２に記載の車両用クーリングファン制御方法。
【請求項４】
前記第１クーリングファンの第１要求速度（Ａ）が前記第１クーリングファンの第２要求速度（Ｃ）より大きいかまたは同一であるかを判断する段階で、
条件を満足しないと、次の段階で、前記第１クーリングファンは前記第１クーリングファンの第２要求速度（Ｃ）で作動させ、前記第２クーリングファンは前記第２クーリングファンの第１要求速度（Ｂ）で作動させ、前記スタックおよび電装品の冷却水温とエアコン圧力が予め設定された設定値内にあるかを判断する段階にリターンさせることを特徴とする請求項２に記載の車両用クーリングファン制御方法。
【請求項５】
前記第１クーリングファンの第１要求速度（Ａ）が前記第１クーリングファンの第２要求速度（Ｃ）より大きいかまたは同一であり、前記第２クーリングファンの第１要求速度（Ｂ）が前記第２クーリングファンの第２要求速度（Ｄ）より大きいかまたは同一であるかを判断する段階で、
条件を満足しないと、次の段階で、前記第１クーリングファンの第１要求速度（Ａ）が前記第１クーリングファンの第２要求速度（Ｃ）より大きいかまたは同一であり、前記第２クーリングファンの第１要求速度（Ｂ）が前記第２クーリングファンの第２要求速度（Ｄ）より小さいかを判断することを特徴とする請求項１に記載の車両用クーリングファン制御方法。
【請求項６】
前記第１クーリングファンの第１要求速度（Ａ）が前記第１クーリングファンの第２要求速度（Ｃ）より大きいかまたは同一であり、前記第２クーリングファンの第１要求速度（Ｂ）が前記第２クーリングファンの第２要求速度（Ｄ）より小さいかを判断する段階で、
条件を満足すると、次の段階で、前記第１クーリングファンは前記第１クーリングファンの第１要求速度（Ａ）で作動させ、前記第２クーリングファンは前記第２クーリングファンの第２要求速度（Ｄ）で作動させ、前記スタックおよび電装品の冷却水温とエアコン圧力が予め設定された設定値内にあるかを判断する段階にリターンさせることを特徴とする請求項５に記載の車両用クーリングファン制御方法。
【請求項７】
前記第１クーリングファンの第１要求速度（Ａ）が前記第１クーリングファンの第２要求速度（Ｃ）より大きいかまたは同一であり、前記第２クーリングファンの第１要求速度（Ｂ）が前記第２クーリングファンの第２要求速度（Ｄ）より小さいかを判断する段階で、
条件を満足しないと、次の段階で、前記第１クーリングファンの第１要求速度（Ａ）が前記第１クーリングファンの第２要求速度（Ｃ）より小さく、前記第２クーリングファンの第１要求速度（Ｂ）が前記第２クーリングファンの第２要求速度（Ｄ）より大きいかまたは同一であるかを判断することを特徴とする請求項５に記載の車両用クーリングファン制御方法。
【請求項８】
前記第１クーリングファンの第１要求速度（Ａ）が前記第１クーリングファンの第２要求速度（Ｃ）より小さく、前記第２クーリングファンの第１要求速度（Ｂ）が前記第２クーリングファンの第２要求速度（Ｄ）より大きいかまたは同一であるかを判断する段階で、
条件を満足すると、次の段階で、前記第１クーリングファンは前記第１クーリングファンの第２要求速度（Ｃ）で作動させ、前記第２クーリングファンは前記第２クーリングファンの第１要求速度（Ｂ）で作動させ、前記スタックおよび電装品の冷却水温とエアコン圧力が予め設定された設定値内にあるかを判断する段階にリターンさせることを特徴とする請求項７に記載の車両用クーリングファン制御方法。
【請求項９】
前記第１クーリングファンの第１要求速度（Ａ）が前記第１クーリングファンの第２要求速度（Ｃ）より小さく、前記第２クーリングファンの第１要求速度（Ｂ）が前記第２クーリングファンの第２要求速度（Ｄ）より大きいかまたは同一であるかを判断する段階で、
条件を満足しないと、次の段階で、前記第１クーリングファンの第１要求速度（Ａ）が前記第１クーリングファンの第２要求速度（Ｃ）より小さく、前記第２クーリングファンの第１要求速度（Ｂ）が前記第２クーリングファンの第２要求速度（Ｄ）より小さいかを判断することを特徴とする請求項７に記載の車両用クーリングファン制御方法。
【請求項１０】
前記第１クーリングファンの第１要求速度（Ａ）が前記第１クーリングファンの第２要求速度（Ｃ）より小さく、前記第２クーリングファンの第１要求速度（Ｂ）が前記第２クーリングファンの第２要求速度（Ｄ）より小さいかを判断する段階で、
条件を満足すると、次の段階で、前記第１クーリングファンは前記第１クーリングファンの第２要求速度（Ｃ）で作動させ、前記第２クーリングファンは前記第２クーリングファンの第２要求速度（Ｄ）で作動させ、前記スタックおよび電装品の冷却水温とエアコン圧力が予め設定された設定値内にあるかを判断する段階にリターンさせることを特徴とする請求項９に記載の車両用クーリングファン制御方法。
【請求項１１】
前記第１クーリングファンの第１要求速度（Ａ）が前記第１クーリングファンの第２要求速度（Ｃ）より小さく、前記第２クーリングファンの第１要求速度（Ｂ）が前記第２クーリングファンの第２要求速度（Ｄ）より小さいかを判断する段階で、
条件を満足しないと、次の段階で、前記第１クーリングファンは前記第１クーリングファンの第１要求速度（Ａ）で作動させ、前記第２クーリングファンは前記第２クーリングファンの第１要求速度（Ｂ）で作動させる段階にリターンさせることを特徴とする請求項９に記載の車両用クーリングファン制御方法。
【請求項１２】
スタックおよび電装品の冷却水温とエアコン圧力が予め設定された設定値内にあるかを判断する段階で、条件を満足しないと、スタック温度を感知し、前記スタック用ラジエータが要求する前記第１クーリングファンの第１要求速度（Ａ）と前記第２クーリングファンの第１要求速度（Ｂ）を設定する段階にリターンさせることを特徴とする請求項１に記載の車両用クーリングファン制御方法。
【発明の詳細な説明】
【技術分野】
【０００１】
本発明は、車両用クーリングファン制御方法に係り、より詳しくは、車両の状態により電気自動車でクーリングモジュールにデュアルに備えられるクーリングファンの作動を制御して消費電力を最小化できる車両用クーリングファン制御方法に関する。
【背景技術】
【０００２】
最近、エネルギー効率と環境汚染問題に対する関心が増加し、内燃機関自動車を実質的に代替可能な環境にやさしい自動車の開発が要求されている。このような自動車は、普通燃料電池や電気を動力源として駆動される電気自動車や、エンジンと電気バッテリーを利用して駆動されるハイブリッド自動車に区分される。電気自動車には、燃料電池またはバッテリーを冷却するためのスタックラジエータと、電装品を冷却する電装用ラジエータと、コンデンサおよびクーリングファンを含むクーリングモジュールと、が車両の前方に配置される。クーリングモジュールは、車両の走行状態、およびエアコンシステムの作動の有無により燃料電池またはバッテリーと電装品を効率的に冷却し、エアコンシステムの冷房性能を向上させることが要求される。
【０００３】
しかしながら、クーリングモジュールの性能確保のためには、クーリングファンの容量を増大させる、もしくはクーリングファンを効率的に制御しなければならないが、限定されたエンジンルーム空間で装着空間の確保が難しく、容積の増大には限界がある。また、各構成要素の要求冷却温度が互いに異なるため、各構成要素の要求冷却温度に合うようにクーリングファンを制御することが難しい。また、各構成要素の要求冷却温度のうち、最大冷却温度によりクーリングファンを作動させる場合、他の構成要素が不必要に冷却され、クーリングファンの消費電力が増加するため、車両の最大走行距離が短くなる。
【先行技術文献】
【特許文献】
【０００４】
【特許文献１】特開２０１４−０７６７９２号公報
【発明の概要】
【発明が解決しようとする課題】
【０００５】
本発明の目的は、電気自動車で走行状態およびエアコン作動によりクーリングモジュールにデュアルに備えられるクーリングファンの作動時、各構成要素のクーリングファン要求速度を比較して各クーリングファンの作動を独立制御することによって、クーリングファンの消費電力を最小化して不必要な電力消費を防止し、車両の全体走行距離を増大させる車両用クーリングファン制御方法を提供することにある。
【課題を解決するための手段】
【０００６】
上記目的を達成するための本発明の実施形態に係る車両用クーリングファン制御方法は、スタック用ラジエータと、前記スタック用ラジエータの前方に配置される電装用ラジエータと、前記電装用ラジエータと車両の幅方向を基準に並列配置されるコンデンサと、前記スタック用ラジエータの後方で前記電装用ラジエータと前記コンデンサにそれぞれ対応する位置に備えられる第１、第２クーリングファンとを含むクーリングモジュールで車両の走行状態およびエアコンの稼働有無により前記第１、第２クーリングファンの作動速度を制御するためのものであって、車両の始動をオンさせて走行する段階と、スタック温度を感知し、前記スタック用ラジエータが要求する前記第１クーリングファンの第１要求速度（Ａ）と前記第２クーリングファンの第１要求速度（Ｂ）を設定する段階と、電装品の温度を感知し、前記電装用ラジエータが要求する前記第１クーリングファンの第２要求速度（Ｃ）を設定する段階と、エアコンの作動有無を判断する段階と、エアコンが作動していると判断されると、エアコン圧力を感知し、前記コンデンサが要求する前記第２クーリングファンの第２要求速度（Ｄ）を設定する段階と、前記第１クーリングファンの第１要求速度（Ａ）が前記第１クーリングファンの第２要求速度（Ｃ）より大きいかまたは同一であり、前記第２クーリングファンの第１要求速度（Ｂ）が前記第２クーリングファンの第２要求速度（Ｄ）より大きいかまたは同一であるかを判断する段階（Ｓ６）と、前記段階（Ｓ６）で条件を満足すると、前記第１クーリングファンは前記第１クーリングファンの第１要求速度（Ａ）で作動させ、前記第２クーリングファンは前記第２クーリングファンの第１要求速度（Ｂ）で作動させる段階と、スタックおよび電装品の冷却水温とエアコン圧力が予め設定された設定値内にあるかを判断する段階と、前記スタックおよび電装品の冷却水温とエアコン圧力が予め設定された設定値内にあると判断されると、制御を終了する段階と、を含むことを特徴とする。
【０００７】
前記エアコンの作動有無を判断する段階で、前記エアコンが作動していないと判断されると、次の段階で、前記第１クーリングファンの第１要求速度（Ａ）が前記第１クーリングファンの第２要求速度（Ｃ）より大きいかまたは同一であるかを判断することを特徴とする。
【０００８】
前記第１クーリングファンの第１要求速度（Ａ）が前記第１クーリングファンの第２要求速度（Ｃ）より大きいかまたは同一であるかを判断する段階で、条件を満足すると、次の段階で、前記第１クーリングファンは前記第１クーリングファンの第１要求速度（Ａ）で作動させ、前記第２クーリングファンは前記第２クーリングファンの第１要求速度（Ｂ）で作動させ、前記スタックおよび電装品の冷却水温とエアコン圧力が予め設定された設定値内にあるかを判断する段階にリターンさせることを特徴とする。
【０００９】
前記第１クーリングファンの第１要求速度（Ａ）が前記第１クーリングファンの第２要求速度（Ｃ）より大きいかまたは同一であるかを判断する段階で、条件を満足しないと、次の段階で、前記第１クーリングファンは前記第１クーリングファンの第２要求速度（Ｃ）で作動させ、前記第２クーリングファンは前記第２クーリングファンの第１要求速度（Ｂ）で作動させ、前記スタックおよび電装品の冷却水温とエアコン圧力が予め設定された設定値内にあるかを判断する段階にリターンさせることを特徴とする。
【００１０】
前記第１クーリングファンの第１要求速度（Ａ）が前記第１クーリングファンの第２要求速度（Ｃ）より大きいかまたは同一であり、前記第２クーリングファンの第１要求速度（Ｂ）が前記第２クーリングファンの第２要求速度（Ｄ）より大きいかまたは同一であるかを判断する段階で、条件を満足しないと、次の段階で、前記第１クーリングファンの第１要求速度（Ａ）が前記第１クーリングファンの第２要求速度（Ｃ）より大きいかまたは同一であり、前記第２クーリングファンの第１要求速度（Ｂ）が前記第２クーリングファンの第２要求速度（Ｄ）より小さいかを判断することを特徴とする。
【００１１】
前記第１クーリングファンの第１要求速度（Ａ）が前記第１クーリングファンの第２要求速度（Ｃ）より大きいかまたは同一であり、前記第２クーリングファンの第１要求速度（Ｂ）が前記第２クーリングファンの第２要求速度（Ｄ）より小さいかを判断する段階で、条件を満足すると、次の段階で、前記第１クーリングファンは前記第１クーリングファンの第１要求速度（Ａ）で作動させ、前記第２クーリングファンは前記第２クーリングファンの第２要求速度（Ｄ）で作動させ、前記スタックおよび電装品の冷却水温とエアコン圧力が予め設定された設定値内にあるかを判断する段階にリターンさせることを特徴とする。
【００１２】
前記第１クーリングファンの第１要求速度（Ａ）が前記第１クーリングファンの第２要求速度（Ｃ）より大きいかまたは同一であり、前記第２クーリングファンの第１要求速度（Ｂ）が前記第２クーリングファンの第２要求速度（Ｄ）より小さいかを判断する段階で、条件を満足しないと、次の段階で、前記第１クーリングファンの第１要求速度（Ａ）が前記第１クーリングファンの第２要求速度（Ｃ）より小さく、前記第２クーリングファンの第１要求速度（Ｂ）が前記第２クーリングファンの第２要求速度（Ｄ）より大きいかまたは同一であるかを判断することを特徴とする。
【００１３】
前記第１クーリングファンの第１要求速度（Ａ）が前記第１クーリングファンの第２要求速度（Ｃ）より小さく、前記第２クーリングファンの第１要求速度（Ｂ）が前記第２クーリングファンの第２要求速度（Ｄ）より大きいかまたは同一であるかを判断する段階で、条件を満足すると、次の段階で、前記第１クーリングファンは前記第１クーリングファンの第２要求速度（Ｃ）で作動させ、前記第２クーリングファンは前記第２クーリングファンの第１要求速度（Ｂ）で作動させ、前記スタックおよび電装品の冷却水温とエアコン圧力が予め設定された設定値内にあるかを判断する段階にリターンさせることを特徴とする。
【００１４】
前記第１クーリングファンの第１要求速度（Ａ）が前記第１クーリングファンの第２要求速度（Ｃ）より小さく、前記第２クーリングファンの第１要求速度（Ｂ）が前記第２クーリングファンの第２要求速度（Ｄ）より大きいかまたは同一であるかを判断する段階で、条件を満足しないと、次の段階で、前記第１クーリングファンの第１要求速度（Ａ）が前記第１クーリングファンの第２要求速度（Ｃ）より小さく、前記第２クーリングファンの第１要求速度（Ｂ）が前記第２クーリングファンの第２要求速度（Ｄ）より小さいかを判断することを特徴とする。
【００１５】
前記第１クーリングファンの第１要求速度（Ａ）が前記第１クーリングファンの第２要求速度（Ｃ）より小さく、前記第２クーリングファンの第１要求速度（Ｂ）が前記第２クーリングファンの第２要求速度（Ｄ）より小さいかを判断する段階で、条件を満足すると、次の段階で、前記第１クーリングファンは前記第１クーリングファンの第２要求速度（Ｃ）で作動させ、前記第２クーリングファンは前記第２クーリングファンの第２要求速度（Ｄ）で作動させ、前記スタックおよび電装品の冷却水温とエアコン圧力が予め設定された設定値内にあるかを判断する段階にリターンさせることを特徴とする。
【００１６】
前記第１クーリングファンの第１要求速度（Ａ）が前記第１クーリングファンの第２要求速度（Ｃ）より小さく、前記第２クーリングファンの第１要求速度（Ｂ）が前記第２クーリングファンの第２要求速度（Ｄ）より小さいかを判断する段階で、条件を満足しないと、前記第１クーリングファンは前記第１クーリングファンの第１要求速度（Ａ）で作動させ、前記第２クーリングファンは前記第２クーリングファンの第１要求速度（Ｂ）で作動させる段階にリターンさせることを特徴とする。
【００１７】
スタックおよび電装品の冷却水温とエアコン圧力が予め設定された設定値内にあるかを判断する段階で、条件を満足しないと、スタック温度を感知し、前記スタック用ラジエータが要求する前記第１クーリングファンの第１要求速度（Ａ）と前記第２クーリングファンの第１要求速度（Ｂ）を設定する段階にリターンさせることを特徴とする。
【発明の効果】
【００１８】
前述のように、本発明の車両用クーリングファン制御方法によれば、走行状態およびエアコン作動により電気自動車で車両の走行状態によりクーリングモジュールにデュアルに備えられるクーリングファンの作動時、各構成要素のクーリングファン要求速度を比較して各クーリングファンの作動を独立制御することによって、クーリングファンの消費電力を最小化して不必要な電力消費を防止し、車両の全体走行距離を増大させることができる。また、クーリングファンの容量増大なしにもクーリングモジュールの性能確保が可能であることによって、限定された装着孔間内でクーリングモジュールの搭載性を向上させ、車両に搭載されたスタック、電装品、およびエアコンシステムの作動性能および作動効率を向上させることができる。
【図面の簡単な説明】
【００１９】
【図１】本発明の実施形態に係る車両用クーリングファン制御方法が適用されるクーリングモジュールの構成図である。
【図２】本発明の実施形態による車両用クーリングファン制御方法を説明するための制御フローチャートである。
【発明を実施するための形態】
【００２０】
以下、本発明の好ましい実施形態を添付図面に基づいて詳細に説明する。
【実施例】
【００２１】
本発明を明確に説明するために、同一または類似する構成要素に対しては同一の参照符号を付した。図面に示された各構成の大きさは、便宜的な大きさで、厚さは、複数の部分および領域を明確に表現するため拡大して表示した。そして、明細書全体において、ある部分がある構成要素を「含む」という時、他の構成要素をさらに含むことができる。また、明細書の「…ユニット」、「…手段」、「…部」、「…部材」などの用語は、一つの機能を行う単位とする。
【００２２】
図１は、本発明の実施形態に係る車両用クーリングファン制御方法が適用されるクーリングモジュールの構成図であり、図２は、本発明の実施形態による車両用クーリングファン制御方法を説明するための制御フローチャートである。図１に示すように、本発明の実施形態に係る車両用クーリングファン制御方法は、電気自動車に適用される。電気自動車の前方には、クーリングモジュール１が装着され、クーリングモジュール１は、スタック用ラジエータ３、電装用ラジエータ５、コンデンサ７、および第１、第２クーリングファン１０、２０を含む。スタック用ラジエータ３は、スタック（燃料電池）に冷却水を供給する。スタック用ラジエータ３の前方一側には、電装品に冷却水を供給するように電装用ラジエータ５が配置される。スタック用ラジエータ３の前方他側には、エアコンシステムの冷媒を凝縮するようにコンデンサ７が配置される。つまり、電装用ラジエータ５と、コンデンサ７は車両の幅方向を基準に並列配置される。そして、第１、第２クーリングファン１０、２０は、スタック用ラジエータ３の後方で電装用ラジエータ５とコンデンサ７にそれぞれ対応する位置に装着される。
【００２３】
このように構成されるクーリングモジュール１で本発明の実施形態に係るクーリングファン制御方法は、車両の走行状態およびエアコンシステムの稼働有無により第１クーリングファン１０と第２クーリングファン２０の作動速度を制御するために適用される。本発明の実施形態に係る車両用クーリングファン制御方法は、図２に示すように、車両の始動をオンさせて走行する状態（Ｓ１）で、スタックの温度を感知し、スタック用ラジエータ３が要求する第１クーリングファン１０の第１要求速度（Ａ）と第２クーリングファン２０の第１要求速度（Ｂ）を設定する（Ｓ２）。
【００２４】
その後、車両に搭載された電装品の温度を感知し、電装用ラジエータ５が要求する第１クーリングファン１０の第２要求速度（Ｃ）を設定する（Ｓ３）。そして、車両でエアコンの作動有無を判断する（Ｓ４）。段階（Ｓ４）で車両のエアコンが作動していると判断されると、エアコン圧力を感知し、コンデンサ７が要求する第２クーリングファン２０の第２要求速度（Ｄ）を設定する（Ｓ５）。第２クーリングファン２０の第２要求速度（Ｄ）の設定が完了されると、第１クーリングファン１０の第１要求速度（Ａ）が第１クーリングファン１０の第２要求速度（Ｃ）より大きいかまたは同一であり、第２クーリングファン２０の第１要求速度（Ｂ）が第２クーリングファン２０の第２要求速度（Ｄ）より大きいかまたは同一であるかを判断する（Ｓ６）。
【００２５】
段階（Ｓ６）で条件を満足すると、第１クーリングファン１０は、第１クーリングファン１０の第１要求速度（Ａ）で作動させ、第２クーリングファン２０は、第２クーリングファン２０の第１要求速度（Ｂ）で作動させる（Ｓ７）。その後、スタックおよび電装品の冷却水温とエアコン圧力が予め設定された設定値内にあるかを判断し（Ｓ８）、スタックおよび電装品の冷却水温とエアコン圧力が予め設定された設定値内にあると判断されると、制御を終了する。
【００２６】
ここで、エアコンの作動有無を判断する段階（Ｓ４）で、エアコンが作動していないと判断されると、第１クーリングファン１０の第１要求速度（Ａ）が第１クーリングファン１０の第２要求速度（Ｃ）より大きいかまたは同一であるかを判断する（Ｓ９）。第１クーリングファン１０の第１要求速度（Ａ）が第１クーリングファン１０の第２要求速度（Ｃ）より大きいかまたは同一であるかを判断する段階（Ｓ９）で、条件を満足すると、第１クーリングファン１０は第１クーリングファン１０の第１要求速度（Ａ）で作動させる。そして、第２クーリングファン２０は第２クーリングファン２０の第１要求速度（Ｂ）で作動させる（Ｓ１０）。
【００２７】
その後、第１クーリングファン１０と第２クーリングファン２０が作動すると、スタックおよび電装品の冷却水温とエアコン圧力が予め設定された設定値内にあるかを判断する段階（Ｓ８）にリターンさせる。反面、第１クーリングファン１０の第１要求速度（Ａ）が第１クーリングファン１０の第２要求速度（Ｃ）より大きいかまたは同一であるかを判断する段階（Ｓ９）で、条件を満足しないと、第１クーリングファン１０は第１クーリングファン１０の第２要求速度（Ｃ）で作動させる。そして、第２クーリングファン２０は第２クーリングファン２０の第１要求速度（Ｂ）で作動させる（Ｓ１１）。その後、第１クーリングファン１０と第２クーリングファン２０が作動すると、スタックおよび電装品の冷却水温とエアコン圧力が予め設定された設定値内にあるかを判断する段階（Ｓ８）にリターンさせる。
【００２８】
つまり、本発明の実施形態に係る車両用クーリングファン制御方法は、車両の走行状態によりスタック用ラジエータ３  を冷却するように要求される第１、第２クーリングファン１０、２０の要求速度と、電装用ラジエータ５を冷却するように要求される第１クーリングファン１０の要求速度を比較して大きい要求速度で第１、第２クーリングファン１０、２０を独立制御してクーリングモジュール１の効率的な冷却を行なう。
【００２９】
一方、第１クーリングファン１０の第１要求速度（Ａ）が第１クーリングファン１０の第２要求速度（Ｃ）より大きいかまたは同一であり、第２クーリングファン２０の第１要求速度（Ｂ）が第２クーリングファン２０の第２要求速度（Ｄ）より大きいかまたは同一であるかを判断する段階（Ｓ６）で、条件を満足しないと、第１クーリングファン１０の第１要求速度（Ａ）が第１クーリングファン１０の第２要求速度（Ｃ）より大きいかまたは同一であり、第２クーリングファン２０の第１要求速度（Ｂ）が第２クーリングファン２０の第２要求速度（Ｄ）より小さいかを判断する（Ｓ１２）。
【００３０】
段階（Ｓ１２）で、条件を満足すると、第１クーリングファン１０は第１クーリングファン１０の第１要求速度（Ａ）で作動させる。そして、第２クーリングファン２０は第２クーリングファン２０の第２要求速度（Ｄ）で作動させる（Ｓ１３）。その後、第１クーリングファン１０と第２クーリングファン２０が作動すると、スタックおよび電装品の冷却水温とエアコン圧力が予め設定された設定値内にあるかを判断する段階（Ｓ８）にリターンさせる。
【００３１】
反面、段階（Ｓ１２）で、条件を満足しないと、第１クーリングファン１０の第１要求速度（Ａ）が第１クーリングファン１０の第２要求速度（Ｃ）より小さく、第２クーリングファン２０の第１要求速度（Ｂ）が第２クーリングファン２０の第２要求速度（Ｄ）より大きいかまたは同一であるかを判断する（Ｓ１４）。段階（Ｓ１４）で、条件を満足すると、第１クーリングファン１０は第１クーリングファンの１０第２要求速度（Ｃ）で作動させ、第２クーリングファン２０は第２クーリングファン２０の第１要求速度（Ｂ）で作動させる（Ｓ１５）。
【００３２】
その後、第１クーリングファン１０と第２クーリングファン２０が作動すると、スタックおよび電装品の冷却水温とエアコン圧力が予め設定された設定値内にあるかを判断する段階（Ｓ８）に再びリターンさせる。反面、段階（Ｓ１４）で、条件を満足しないと、第１クーリングファン１０の第１要求速度（Ａ）が第１クーリングファン１０の第２要求速度（Ｃ）より小さく、第２クーリングファン２０の第１要求速度（Ｂ）が第２クーリングファン２０の第２要求速度（Ｄ）より小さいかを判断する（Ｓ１６）。
【００３３】
第１クーリングファン１０の第１要求速度（Ａ）が第１クーリングファン１０の第２要求速度（Ｃ）より小さく、第２クーリングファン２０の第１要求速度（Ｂ）が第２クーリングファン２０の第２要求速度（Ｄ）より小さいと判断されると（Ｓ１６）、第１クーリングファン１０は第１クーリングファン１０の第２要求速度（Ｃ）で作動させ、第２クーリングファン２０は第２クーリングファン２０の第２要求速度（Ｄ）で作動させる（Ｓ１７）。
【００３４】
その後、第１クーリングファン１０と第２クーリングファン２０が作動すると、スタックおよび電装品の冷却水温とエアコン圧力が予め設定された設定値内にあるかを判断する段階（Ｓ８）に再びリターンされる。反面、段階（Ｓ１６）で、条件を満足しないと、第１クーリングファン１０は第１クーリングファン１０の第１要求速度（Ａ）で作動させ、第２クーリングファン２０は第２クーリングファン２０の第１要求速度（Ｂ）で作動させる段階にリターンさせる。
【００３５】
一方、本実施形態で、スタックおよび電装品の冷却水温とエアコン圧力が予め設定された設定値内にあるかを判断する段階（Ｓ８）で、条件を満足しないと、スタック温度を感知し、スタック用ラジエータが要求する第１クーリングファンの第１要求速度（Ａ）と第２クーリングファンの第１要求速度（Ｂ）を設定する段階（Ｓ２）にリターンされ得る。つまり、本発明の車両用クーリングファン制御方法は、前述の過程を反復して行ない、、車両の走行状態とエアコンの作動有無によりスタック用ラジエータ３を冷却するように要求される第１、第２クーリングファン１０、２０の要求速度、電装用ラジエータ５を冷却するように要求される第１クーリングファン１０の要求速度、およびコンデンサ７を冷却するように要求される第２クーリングファン２０の要求速度をそれぞれ比較して大きい要求速度で第１、第２クーリングファン１０、２０をそれぞれ独立制御することによって、クーリングモジュール１の効率的な冷却が行われる。
【００３６】
したがって、本発明の車両用クーリングファン制御方法を適用すれば、走行状態およびエアコン作動により電気自動車で車両の走行状態によりクーリングモジュール１にデュアルに備えられる第１、第２クーリングファン１０、２０の作動時、各構成要素のクーリングファン要求速度を比較して第１、第２クーリングファン１０、２０の作動速度を独立的に制御することによって、第１、第２クーリングファン１０、２０の消費電力を最小化して不必要な電力消費を防止し、車両の全体走行距離を増大させることができる。
【００３７】
また、第１、第２クーリングファン１０、２０の容量増大なしにクーリングモジュール１の性能確保が可能であるため、限定された装着空間内でクーリングモジュール１の搭載性を向上させ、車両に搭載されたスタック、電装品、およびエアコンシステムの作動性能および作動効率を向上させることができる。
【００３８】
以上のように、本発明を実施例と図面により説明したが、これに限定されず、多様な修正および変形が可能である。
【符号の説明】
【００３９】
１      クーリングモジュール
３      スタック用ラジエータ
５      電装用ラジエータ
７      コンデンサ
１０    第１クーリングファン
２０    第２クーリングファン
【図１】
0006670191.tif 000002
【図２】
0006670191.tif 000003